(57)【要約】【課題】内蔵電池を電源として利用する際に、データのダウンロードを適切に制限して電池の消耗を防ぐ。【解決手段】デジタル放送によって伝送される蓄積型データを不揮発性メモリ２４に蓄積し、読み出して出力する装置において、蓄積処理を実行させるための条件をユーザが予め設定できるように構成して、動作電源が内蔵電池である場合に、設定した条件でデータの蓄積処理を実行させ、外部電源を動作電源として利用する際に、設定した条件によらずにデータの蓄積処理を実行するように設定可能とする。【選択図】      図１
2004357179.tif 000002
【特許請求の範囲】
【請求項１】
蓄積型のデータを伝送するチャンネルを受信する受信手段と、
前記受信手段で受信されたデータを蓄積するデータ蓄積手段と、
前記データ蓄積手段におけるデータの蓄積処理の処理条件を設定する条件設定手段と、
外付け電源から動作電源が供給されるか内蔵電池から動作電源が供給されるか判別する電源判別手段と、
前記電源判別手段で、前記外付け電源から動作電源が供給されていないと判別された際に、前記条件設定手段によって設定された条件に基づいて前記データ蓄積手段に前記データが蓄積されるように制御する制御手段と、
を具備したことを特徴とするデジタル放送受信装置。
【請求項２】
前記制御手段は、さらに前記外付け電源から動作電源が供給されていると判別された際に、前記条件設定手段によって設定された条件によらずに前記蓄積手段にデータが蓄積されるように制御するものであることを特徴とする請求項１に記載のデジタル放送受信装置。
【請求項３】
さらに、前記条件設定手段は、前記データ蓄積手段によるデータの蓄積処理を自動で実行させるか、実行させないか設定する機能を含むことを特徴とする請求項１または２に記載のデジタル放送受信装置。
【請求項４】
前記条件設定手段によって設定される条件は、時刻によってデータの蓄積を制限する条件、データの蓄積回数によってデータの蓄積を制限する条件及びデータの量によってデータの蓄積を制限する条件の中から選択された１の条件もしくは複数の条件の組合わせによって前記データ蓄積手段におけるデータの蓄積処理を制限するものであることを特徴とする請求項１に記載のデジタル放送受信装置。
【請求項５】
前記データは、前記装置に組み込まれるソフトフェアを含むことを特徴とする請求項１に記載のデジタル放送受信装置。
【請求項６】
前記デジタル放送受信装置は、移動体受信機を対象とした衛星モバイル放送を受信する装置であることを特徴とする請求項１乃至５のいずれかに記載のデジタル放送受信装置。
【請求項７】
前記蓄積型データが、ダウンロードチャンネルで放送されるものであることを特徴とする請求項１乃至４のいずれかに記載のデジタル放送受信装置。
【請求項８】
蓄積型のデータを伝送するチャンネルを受信するステップと、
前記受信手段で受信されたデータを蓄積手段へ蓄積させるための蓄積処理の処理条件を設定するステップと、
外付け電源から動作電源が供給されるか内蔵電池から動作電源が供給されるか判別するステップと、
外付け電源から動作電源が供給されていないと判別された際に、前記設定された条件に基づいて前記蓄積手段にデータが蓄積されるように制御するステップと、
を具備したことを特徴とするデジタル放送受信方法。
【発明の詳細な説明】
【０００１】
【発明の属する技術分野】
この発明は、自動ダウンロード機能を備えたデジタル放送受信装置に関し、特に、内蔵バッテリで動作電源を得る使用環境において、ダウンロードの実行を管理してバッテリの消耗を抑制することが可能なデジタル放送受信装置及びデジタル放送受信方法に関する。
【０００２】
【従来の技術】
デジタル放送においては、番組を構成する映像データ及び音声データは映像チャンネルにより、受信しながら視聴するいわゆるストリーム形式で伝送され、また、そのような映像番組を放送するチャンネルとは別のチャンネルを用いて、静止画映像データと音声データあるいは音声データのみで構成されるデータ放送が行なわれており、そのようなデータ放送は、データの一部あるいは全部が、全てのデータを受信（蓄積）してからそのデータを再生することで視聴するいわゆる蓄積型の伝送方式をとっている。
【０００３】
デジタル放送の１つとして、モバイル衛星放送の計画が具体化されており、それによれば、Ｓバンド（２．６ＧＨｚ帯）の電波を使って、映像（音声を含む）チャンネル数９、音声（音楽）のみのチャンネル数６０、データ放送チャンネル数１０でコンテンツを提供することが発表されている。
【０００４】
データ放送チャンネルの中に、７チャンネルのダウンロードチャンネルが含まれており、ゲームソフト、電子新聞、電子雑誌等のコンテンツが定期的に蓄積型の伝送方式で伝送される。ユーザは、コンテンツを特定してそのデータを自動でダウンロードするように受信機を設定し、ダウンロードが完了した時点で、そのコンテンツ、例えば電子新聞を画面表示して見ることができる。
【０００５】
また、このようなモバイル衛星放送を含め、一般のデジタル放送においては、受信機内部に収容されて受信機の各種機能の制御、あるいは信号処理制御に用いられるソフトウェアの修正あるいはバージョンアップが必要になった際に、そのソフトウェアを放送局側からデータの一部として伝送し、受信機でそれをダウンロードしてインストールする機能が設けられている。
【０００６】
モバイル衛星放送を受信する携帯型の受信機では、動作電源は、商用電源が使える屋内とか、外部のバッテリあるいは発電機が使える乗用車等の車内で受信する場合を除いて、もっぱらバッテリによって供給される。
バッテリ駆動時において、データ放送の受信のためのデータの蓄積、ソフトウェアのダウンロードを制限なく実行すると、バッテリが消耗して、本来の受信機としての機能を満足に果たせないという状況に陥ることがある。
そこで従来、例えば特許文献１に示されているように、バッテリ駆動か否かに応じて、データ放送で送信されるデータの更新頻度、あるいは番組配列情報等付加情報の更新頻度を管理するようにした提案がなされているが、この提案では、第一段階として前回受信していたチャンネルを特定してデータが更新されているかあるいは付加情報が更新されているかを見て更新されていれば、それらを取得してメモリに記憶させる。また、第２段階として、他のチャンネルについて同様にデータあるいは付加情報が更新されているか否かをチェックして、更新されている場合には、それらを取得してメモリに記憶させるように構成し、しようしている電源の状態によって、各段階の実行頻度を変えたり、また各段階を実行するかしないかを決定するようにしている。
【０００７】
このように従来の受信装置においては、データあるいは付加情報の更新処理が、木目細かやかに実行されるとは言いがたく、バッテリの容量が犠牲になったり、あるいはバッテリの消費を厳格に管理しすぎて必要なデータあるいは付加情報を取得できないなどという事態が発生して、使い勝手という点で満足のできるものではなかった。
【０００８】
【特許文献１】
特開２００２−３５９７９１号公報（第５，６頁、図１，３）
【０００９】
【発明が解決しようとする課題】
以上のように、従来、デジタル放送受信装置において、バッテリの消耗を抑制するような提案がなされているが、使い勝手が悪く満足のできる装置はなかった。
本発明は、以上の点に対処してなされたものであり、データ及びソフトウェアのダウンロード動作を細かく設定することができるようにして、バッテリの消耗を抑制しつつ適切にデータあるいはソフトフェアを取得することが可能なデジタル放送受信装置及び受信方法を提供することを目的とする。
【００１０】
【課題を解決するための手段】
本発明のデジタル放送受信装置は、蓄積型のデータを伝送するチャンネルを受信する受信手段と、前記受信手段で受信されたデータを蓄積するデータ蓄積手段と、前記データ蓄積手段におけるデータの蓄積処理の処理条件を設定する条件設定手段と、外付け電源から動作電源が供給されるか内蔵電池から動作電源が供給されるか判別する電源判別手段と、前記電源判別手段で、前記外付け電源から動作電源が供給されていないと判別された際に、前記条件設定手段によって設定された条件に基づいて前記データ蓄積手段に前記データが蓄積されるように制御する制御手段と、を具備したことを特徴とする。
【００１１】
本発明によれば、データの蓄積処理の条件を予め設定しておき、内蔵電池を動作電源とする場合に、設定した条件に基ダウンロードするようにしたため、適切なダウンロードを実行させることができるものである。
本発明のデジタル放送受信方法は、蓄積型のデータを伝送するチャンネルを受信するステップと、前記受信手段で受信されたデータを蓄積手段へ蓄積させるための蓄積処理の処理条件を設定するステップと、外付け電源から動作電源が供給されるか内蔵電池から動作電源が供給されるか判別するステップと、外付け電源から動作電源が供給されていないと判別された際に、前記設定された条件に基づいて前記蓄積手段にデータが蓄積されるように制御するステップと、を具備したことを特徴とする。
【００１２】
本発明によれば、データの蓄積処理の条件を予め設定しておき、内蔵電池を動作電源とする場合に、設定した条件に基ダウンロードするようにしたため、適切なダウンロードを実行させることができるものである。
【００１３】
【発明の実施の形態】
以下、図面を参照して、本発明に係るデジタル放送受信装置を詳細に説明する。図１は、本発明のデジタル放送受信装置１０の回路ブロック図である。図１において、デジタル放送受信装置１０は、アンテナ１１からの受信信号を受けるアンテナ入力端子１２を備えている。
【００１４】
受信装置１０はモバイル衛星放送を受信する装置として構成されており、アンテナ１１はモノポールアンテナ等の無指向性アンテナである。すなわち、モバイル衛星放送では、携帯型受信装置で受信可能となるように現行の衛星放送に比べておよそ１０倍の電力で送信を行なう計画であり、パラボラアンテナではなく、無指向性のアンテナで放送を受信することが可能である。
【００１５】
アンテナ１１で受信された信号は、アンテナ入力端子１２を介してチューナ／復調部１３に供給され、ここでチャンネルの選局と、選局したチャンネルの受信信号の復調が行なわれる。また、チューナ／復調部１３では、誤り訂正処理と、必要に応じてデスクランブル等の処理が施され、トランスポートストリーム信号（ＴＳ信号）としてデマルチプレクサ１４に供給される。チューナ／復調部１３で選局されたチャンネルが映像チャンネルである場合、デマルチプレクサ１４では、ＴＳ信号から映像データと音声データを分離抽出して、デコーダ１５に供給する。映像データはＭＰＥＧ（Ｍｏｖｉｎｇ  Ｐｉｃｔｕｒｅ  Ｅｘｐｅｒｔｓ  Ｇｒｏｕｐ）４規格によってエンコードされており、デコーダ１５では、デコード処理を施して非圧縮のデジタル映像データとしてグラフィック重畳部１６に出力する。音声データもまた、デコーダ１５でデコードして非圧縮のデジタル音声データとして音声信号処理部１７に出力される。
【００１６】
グラフィック重畳部１６では、デコーダ１５からの映像データに対して、例えばＧＵＩ（Ｇｒａｐｈｉｃａｌ  Ｕｓｅｒ  Ｉｎｔｅｒｆａｃｅ）構成のＯＳＤ（Ｏｎ  Ｓｃｒｅｅｎ  Ｄｉｓｐｌａｙ）情報を重畳して、映像信号処理部１８に導出する。映像信号処理部１８では、デジタル映像信号をアナログ信号に変換すると共に、標準テレビジョン信号に構築して表示部１９に供給して、表示部１９で表示する。
【００１７】
また、デジタル音声信号が供給される音声信号処理部１７では、音量調整等の処理が施されて、アナログ信号に変換され、スピーカ等で構成される音声出力部２０から音声として出力される。
チューナ／復調部１３、デマルチプレクサ１４、デコーダ１５、グラフィック重畳部１６、音声信号処理部１７、映像信号処理部１８は、制御部２１で制御される。制御部２１は、それら各回路ブロックを制御し、チャンネル選局、多重データの分離、デコード処理、映像及び音声信号の処理を行なう他、グラフィック重畳部１６で映像信号に重畳されるＯＳＤ情報等も生成して出力する。
【００１８】
制御部２１には、さらにユーザが操作可能な入力部２２が接続され、この入力部２２を操作することで制御部２１に制御信号を供給し、受信装置１０の各機能の設定と動作の制御を実行する。さらに制御部２１には、制御部２１による制御を時間で管理するために、時刻信号を発生する時計部２３が接続されている。
【００１９】
受信機１０はさらに不揮発性メモリ２４を備え、不揮発性メモリ２４は、制御部２１の制御の下に、デマルチプレクサ１４を介してデータ放送チャンネルのデータ、ダウンロードチャンネルのデータ、あるいは伝送されるソフトウェアが蓄積される。また、蓄積されたデータをデマルチプレクサ１４を介して出力する。
【００２０】
さらに、受信装置１０は、受信装置１０が携帯状態で使用される際に電源として適用される内蔵二次電池２５を備える。さらにまた、外部に設けられる常時電源２６からの電力を受ける電源供給端子２７と、この端子２７に常時電源２６が接続されているか否かを判別する電源状態判別部２８が設けられている。内蔵二次電池の一方の電極は、スイッチ２９を介して受信機１０の電源供給線路３０に接続され、また、電源供給端子２７がスイッチ３１を介して電源供給線路３０に接続されている。
【００２１】
電源状態判別部２８は、電源供給端子２７の電圧を監視することで常時電源２６が端子２７に接続されているか否かの判別を行い、結果を制御部２１に出力する。制御部２１は、電源状態判別部２８からの信号を受けて、常時電源２６が接続されている場合には、スイッチ３１をオンさせると共に、スイッチ２９をオフさせ、常時電源２６からの電源が、受信装置１０の各部に電源として供給されるように制御する。その状態においては、内蔵二次電池２５は、スイッチ２９がオフとなっているために、受信装置１０の各部からは切り離されており、消費されることはない。また、常時電源２６が接続されている場合に、端子２７に供給される電圧によって、内蔵二次電池２５を充電すべく、充電制御部３２が設けられており、内蔵二時電池２５の出力側の極電圧を監視して充電を行なわせるように動作する。
【００２２】
さらに、電源供給端子２７に常時電源２６が接続されていない場合には、制御部２１は、スイッチ２９がオン、スイッチ３１がオフとなっており、電源供給線路３０に内蔵二次電池２５から電源が供給される。
電源供給線路３０は、常に動作状態にあることが義務付けられる回路部分に直接接続されて常に電源を供給する他、スイッチ３３を介して受信装置１０内のその他の回路及び電源が供給される必要のある部分に接続されて電源を供給する。スイッチ３３は受信装置１０のいわゆる電源スイッチであり、ユーザの入力部２２の操作によって制御部２１からの制御信号によってそのオンオフが切換えられる。受信装置１０において、常に動作状態に設定される回路部分としては、少なくとも、制御部２１、時計部２３、電源状態判別部２８を含む。
【００２３】
以上のように構成されたデジタル放送受信装置１０において、ユーザはまず初期設定によって、自動ダウンロードの機能設定を行なう。すなわち、入力部２２の例えばメニューキーを操作することで、図２に示すメニュー画面４１を表示部１９に表示させる。
【００２４】
メニュー画面は、入力手段２２の操作に基づき、制御部２１が不揮発性メモリ２４に予め記憶された画面を構成する文字等のデータを読み出して構築して、グラフィック重畳部１６に出力する。
ユーザは、図２のメニュー画面４１に対して、入力部２２の図示しないカーソルキーを操作して、「１．機能設定」にカーソルを合せて決定キーを操作することでダウンロードを含めた機能設定を行なうための図３に示す設定画面４２を表示部１９に表示させる。なお、図２のメニュー画面における項目の選択は、項目に付された数字を入力部２２の例えばテンキーの数字キーによって、入力することで直接的に選択することも可能である。
【００２５】
さらに、ユーザは、図３に示す画面３２において、「１．ダウンロード」を、入力部２２のカーソルキー及び決定キー、あるいは数字キーで選択すると、図４に示すダウンロードの設定項目の選択画面４３が表示される。すなわち、図４において、自動ダウンロード機能を働かせるか否か、ダウンロードを実行する時間の設定をするか否か、ダウンロードを実行する回数を設定するか否か、およびダウンロードのデータ量に制限を加えるか否かの設定項目が表示されており、ユーザは入力部２２のカーソルキーと決定キーで順次条件を設定していくことになる。図４の例では全ての項目について「する」が選択されている状況を示している。
【００２６】
図４において、全ての項目の条件付けが完了したら、その条件付けられた項目についてさらに詳細な設定を行なうための図５に示す画面４４が表示される。
図５において、ユーザは入力部２２の例えば数字キーで具体的な条件を入力していく。すなわち、例えば、ダウンロード時間の条件として、４時間毎に３分間という内容が設定され、ダウンロード回数として３回までが設定され、さらにダウンロードデータ量として例えば５Ｍｂｙｔｅまでダウンロードが可能であることが設定されている。
【００２７】
以上のように、設定された各項目の条件は、不揮発性メモリ２４に記憶される。なお、図４の画面４３において、自動ダウンロードを行なうか否かの設定は、常時電源２６が接続されているか否かに関わらず、基本的設定項目として機能するものである。しかしながら、ダウンロード時間、ダウンロード回数、ダウンロードデータ量の各設定項目は、内蔵二次電池２５を動作電源とする場合のみに機能する項目であり、常時電源２６が接続されている状態において、自動ダウンロードを実行すると設定されている場合には、それら条件は無視され、全く制限を受けることなく自動ダウンロードが実行されるものである。
【００２８】
以上のように設定された受信装置１０を携帯状態で使用し、電源として内蔵二次電池２５の電源でのみ駆動している状態にあるものとする。制御部２１は、時計部２３から供給される時刻情報に基づき、自動ダウンロードを実行する時間になったか否かを監視し、自動ダウンロードを実行する時間になった場合には、チューナ／復調部１３を制御してダウロードチャンネルを選局する。
【００２９】
さらに、ダウンロードが何回目であるか否かを制御部２１で識別してダウンロード可能回数であれば、次に、ダウンロードするデータ量が５Ｍｂｙｔｅ以内であるか否かを制御部２１が判別して全ての条件を満足した場合に、受信したデータを不揮発性メモリ２４に記憶させる。
【００３０】
以上のようにして、図２乃至図５に示す図面によって設定された自動ダウンロード条件に基づいて、データのダウンロードが実行されるため、ダウンロードのタイミング、回数、データ量を厳密に管理することができるようになる。そのため、二次電池２５の電力を不必要に消費することがなくなり、電池の消耗を最小限に留めることができるようになるものである。
【００３１】
図６は、以上説明した受信装置１０の動作を説明するフローチャートである。図６において、ステップＳ６１で開始され、ステップＳ６２で自動ダウンロードを実行することが設定されているか否かの判定がなされ、設定されている場合には、ステップＳ６３でダウンロードを許可した時間帯であるか否かが判定される。
【００３２】
ダウンロードを許可した時間帯である場合には、ステップＳ６４に移って、ダウンロードを許可した回数であるか否かの判定がなされ、ダウンロードを許可した回数であるならば、ステップＳ６５に移って、ダウンロードしようとするデータの量が、所定量以内か否かの判定がなされる。
【００３３】
ステップＳ６５によって所定量以内であると判定された場合には、ステップＳ６６で不揮発性メモリへのデータ蓄積とデータ更新が実行され、ステップＳ６７で終了となる。
また、ステップＳ６２、Ｓ６３、Ｓ６４、Ｓ６５において、それぞれ否と判定された場合には、データのメモリへの記憶処理を行なわずに、処理を終了する。
なお、本発明のデジタル放送受信装置１０においては、内蔵二次電池２５を電源として使用している状態において、自動ダウンロードによらずに、自由なタイミングで手動でダウンロードを実行させるようにしてもよく、ユーザが入力部２２を操作することで、ダウンロードを実行するように設定することが可能である。
【００３４】
手動でダウンロードを実行させる場合には、既に不揮発性メモリ２４に記憶されている内容を上書きすることがあり、そのような場合にユーザに上書きの可否を判断させたほうが好ましい。すなわち、表示部１９で、ダウンロードしようとしているデータの前回のダウンロード日時と、それを読出して表示部１９で表示したか否か、あるいは音声出力部２０で出力したか否かを表示する。その表示例を図７に示す。図７において画面４５にダウンロード履歴として、日時が２００３年６月２１日１７：００、過去に出力したことがあるということが示されている。
【００３５】
図８は、手動でダウンロードを実行させるための処理を説明するフローチャートである。図８において、ステップＳ８１で開始され、ステップＳ８２でユーザによる手動データの更新が行なわれる。次いでステップＳ８３で既存のデータの上書きが可能か否かの判定がなされ、可能であるならば、ステップＳ８４で不揮発性メモリへのデータの蓄積が行なわれてデータの更新が実行され、ステップＳ８５で処理を終了する。また、ステップＳ８３でデータの上書きが可能でないと判定されたら、データの蓄積を行なわずに、処理を終了する。
【００３６】
以上のように構成することにより、内蔵二次電池２５で動作電源を供給している状態において、予め設定したデータダウンロードの条件に基づいて、データのダウンロードを実行するものであるため、内蔵二次電池を効率的に活用することができるものである。
【００３７】
なお、モバイル衛星放送に限らず、デジタル放送においては、受信装置の内部に収容されているソフトウェアの修正あるいはバージョンアップするためのデータを多重して伝送するように構成されており、そのソフトフェアのダウンロードについては、通常は、受信装置がデータの受信を含めて受信装置として動作していないスタンバイ状態において、放送局側からの制御に基づいて実行される。したがって、そのソフトウェアについても管理する対象として扱うことが可能である。その場合、制限条件としては、例えば、データ量が所定値を越えるか否かで、ダウンロードを実行させるか否か判定を行うように構成することが可能である。
【００３８】
なお、本発明は以上説明した実施の形態に限定されるものではなく、趣旨を逸脱しない範囲で種々変形した構成を取ることが可能であり、本発明は、実施の形態で示したモバイル衛星放送を受信する受信装置だけでなく、現在運用されているデジタル衛星放送、将来実施される地上波デジタル放送にも適用できるものである。
【００３９】
【発明の効果】
以上のように、本発明のデジタル放送受信装置は、二次電池駆動時におけるダウンロードの実行に対して、条件を設定してそれを満足したらダウンロードを行うように構成したので、二次電池の容量を無駄に使うことなく、データのダウンロードを実行させることができるものである。
【図面の簡単な説明】
【図１】本発明に係るデジタル放送受信装置の一実施の形態を示す回路構成図。
【図２】図１に示す装置の動作を説明するための構成図。
【図３】図１に示す装置の動作を説明するための構成図。
【図４】図１に示す装置の動作を説明するための構成図。
【図５】図１に示す装置の動作を説明するための構成図。
【図６】図１に示す装置の動作を説明するためのフローチャート。
【図７】本発明のデジタル放送受信装置の他の実施の形態の動作を説明するための構成図。
【図８】図７で示す装置の動作を説明するためのフローチャート
【符号の説明】
１０…デジタル放送受信装置
１１…無指向性アンテナ
１２…アンテナ入力端子
１３…チューナ／復調部
１４…デマルチプレクサ
１５…デコーダ
１６…グラフィック重畳部
１７…音声信号処理部
１８…映像信号処理部
１９…表示部
２０…音声出力部
２１…制御部
２２…入力部
２３…時計部
２４…不揮発性メモリ
２５…内蔵二次電池
２６…常時電源
２７…外部電源供給端子
２８…電源状態判別部
２９，３１，３３…スイッチ
３０…電源供給線路
３２…充電制御部
【図１】
2004357179.tif 000003
【図２】
2004357179.tif 000004
【図３】
2004357179.tif 000005
【図４】
2004357179.tif 000006
【図５】
2004357179.tif 000007
【図６】
2004357179.tif 000008
【図７】
2004357179.tif 000009
【図８】
2004357179.tif 000010